(57)【要約】【課題】扉をスライド自在に設けたペット用のパネル体であって、扉の召合部の隙間が開くのを防止したペット用パネル体及びこれを用いたペット用ゲート、ケージ及びサークルの提供を目的とする。【解決手段】ペット用のパネル体であって、パネル体は開口部と当該開口部を開閉するスライド式の扉とを備え、扉が閉じた状態で扉後部とパネル体の非開口部の開口部側端部との召合部の隙間が開くのを防止した隙間規制手段を有することを特徴とする。【選択図】  図１
2015133918.tif 000002
【特許請求の範囲】
【請求項１】
ペット用のパネル体であって、
パネル体は開口部と当該開口部を開閉するスライド式の扉とを備え、
扉が閉じた状態で扉後部とパネル体の非開口部の開口部側端部との召合部の隙間が開くのを防止した隙間規制手段を有することを特徴とするペット用パネル体。
【請求項２】
前記扉とパネル体の非開口部とのうち、一方又は両方が線材を用いて形成してあり、
線材のたわみにより前記隙間が開くのを防止した隙間規制手段であることを特徴とする請求項１記載のペット用パネル体。
【請求項３】
前記隙間規制手段は扉の後部に設けた掛け部材とパネル体の非開口部の開口部側端部に設けた爪部材との掛け合せであることを特徴とする請求項１又は２記載のペット用パネル体。
【請求項４】
前記扉は前端部にロック部材を有し、
前記パネル体は扉が閉じた状態をロックするための閉ロック受け部材と扉が開いた状態をロックするための開ロック受け部材とを有し、
前記爪部材は開ロック受け部材としても機能し、
前記ロック部材にて扉の閉じた状態と開いた状態の両方をロック可能にしてあるとともに扉が閉じた状態で前記扉に設けた掛け部材が前記開ロック受け部材に係合することで当該開ロック受け部材がロック手段と隙間規制手段との共通部材となっていることを特徴とする請求項３記載のペット用パネル体。
【請求項５】
請求項１〜４のいずれかのパネル体を用いたものであることを特徴とするペット用ケージ又はペット用サークル。
【発明の詳細な説明】
【技術分野】
【０００１】
本発明はペットの侵入を規制するためのゲート、ペットを飼育するために使用されるケージやサークルに用いるのに好適なパネル体に関する。
【背景技術】
【０００２】
ペットを屋内等で飼育する際に廊下等の通路を仕切り、ペットが侵入するのを規制するゲート、ペットを収容するケージやサークル等の技術分野において、ペットを通行させたり出し入れするために出入口用の開口部を設けるとともに、この開口部を開閉する扉を設けたものが使用されている。
従来の扉は扉の端部を軸心とした回動扉が一般的であった（特許文献１，２）。
なお、特許文献１はサークル本体に設けた扉は回動式であるが、サークル本体の内部空間を仕切るための仕切体には左右方向にスライド自在に構成された扉構造を開示する。
しかし、同公報に開示する仕切体の扉構造は仕切体が線材にて枠組みされていることもあって、扉が閉じた状態で扉の後部と仕切体の開口部端部とのいわゆる召合部が前後方向にたわみやすく召合部の隙間が開くという技術的課題があり、この隙間が開くとその間にペットが挟まれる恐れがあった。
【先行技術文献】
【特許文献】
【０００３】
【特許文献１】特開２００８−３５８１５号公報
【特許文献２】特開２００８−１１８９３１号公報
【発明の概要】
【発明が解決しようとする課題】
【０００４】
本発明は扉をスライド自在に設けたペット用のパネル体であって、扉の召合部の隙間が開くのを防止したペット用パネル体及びこれを用いたペット用ゲート、ケージ及びサークルの提供を目的とする。
【課題を解決するための手段】
【０００５】
本発明は、ペット用のパネル体であって、パネル体は開口部と当該開口部を開閉するスライド式の扉とを備え、扉が閉じた状態で扉後部とパネル体の非開口部の開口部側端部との召合部の隙間が開くのを防止した隙間規制手段を有することを特徴とする。
【０００６】
ここでペット用のパネル体とは、ペットの侵入を規制したり内側にペットを収容するために使用されるゲート、ケージ、サークル等、ペットの飼育に使用される用具の少なくとも一部を構成するパネル体をいう。
本発明で扉が開口部を閉じる方向にスライドする際の前側を前部と表現する。
パネル体の構造としては、縦桟と横桟とからなる木製や枠状に一体的に成形した樹脂製等、材質や構造に制限はない。
本発明は扉の後部とパネル体との間の隙間が開くのを防止した点に特徴があることから、例えば扉とパネル体の非開口部とのうち、一方又は両方が線材を用いて形成してあり、線材のたわみにより前記隙間が開くのを防止した隙間規制手段を設けることによりたわみやすい線材のたわみを防止したことによる効果が大きい。
この、隙間規制手段は扉の後部に設けた掛け部材とパネル体の非開口部の開口部側端部に設けた爪部材との掛け合せであってもよい。
【０００７】
本発明において、扉は前端部にロック部材を有し、前記パネル体は扉が閉じた状態をロックするための閉ロック受け部材と扉が開いた状態をロックするための開ロック受け部材とを有し、前記爪部材は開ロック受け部材としても機能し、前記ロック部材にて扉の閉じた状態と開いた状態の両方をロック可能にしてあるとともに扉が閉じた状態で前記扉に設けた掛け部材が前記開ロック受け部材に係合することで当該開ロック受け部材がロック手段と隙間規制手段との共通部材となっていてもよい。
本発明では、開ロック受け部材を上記のように必ずしも共通部材として使用しなくてもよいが、このように共通部材として使用すると構造が簡単になる。
例えば扉及びパネル体の非開口部を線材で構成した場合に、パネル体の上部と下部に横線材による上下ガイド部材を設けて、この上下ガイド部材に沿って摺動する樹脂製等の摺動部材を扉側に設けることで扉がスライド自在に構成されているとともに扉及びパネル体の非開口部を構成する線材に左右方向Ｕ字形状に折り曲げた線材からなる爪状の開及び閉ロック受け部材を取り付けたり、線材からなる掛け部材を取り付けることも容易であり、構造が簡単になる。
また、ロック部材も縦線材に沿ってガイドさせつつ、開及び閉ロック受け部材側に向けて付勢させるようにしてもよい。
【発明の効果】
【０００８】
本発明に係るペット用パネル体は、ペットを出し入れする開口部に開閉スライド自在の扉を設ける場合に、扉の後部とパネル体との間の隙間が開くのを防止した隙間規制手段を設けてなる構成としたことにより、扉が閉じた状態で扉の召合部がパネル体の開口部端部からその隙間が開くようにたわむのを防止できることから扉単独でたわまないように設計するのに比較して、軽量で簡単な構造にできる。
また、隙間規制手段として扉の開ロック受け部材と扉の後部に設けた掛け部材とで構成すると、部品点数が少なくなる。
【図面の簡単な説明】
【０００９】
【図１】パネル体にスライド自在に設けた扉が閉じた状態を示し、（ａ）は正面視を示し、（ｂ）はロック部分の拡大図、（ｃ）は召合部、隙間規制手段付近の拡大図を示す。
【図２】ロック部材を下側から見た図を示し、（ａ）は扉が閉じたロック状態、（ｂ）はロックが解除された状態を示す。
【図３】隙間規制手段を下側から見た状態を示し、この隙間規制手段を扉の開ロック受け部材と扉の後部に設けた掛け部材として構成した例を示す。（ａ）は規制状態、（ｂ）はその開放状態を示す。
【図４】扉が閉じた状態をロックしたロック機構の例を示し、（ａ）はロック状態、（ｂ）はロック部材を上方スライドさせることによって開放した状態を示す。
【図５】パネル体の斜視図を示す。（ａ）は全体、（ｂ）は規制手段を示す。
【図６】扉の開放時をロックした状態を示し、（ａ）は正面視、（ｂ）は開ロック受け部材付近の拡大図、（ｄ）は掛け部材付近の拡大図を示す。
【図７】ロック部材を下側から見た図を示し、（ａ）ロック状態、（ｂ）はロック解除状態を示す。
【発明を実施するための形態】
【００１０】
本発明に係るパネル体１０の構造例を以下図面に基づいて説明する。
パネル体１０はペットの侵入を規制するゲート用、例えば特許文献１，２に示すようなペットサークル用、あるいはペットケージ用等、使用方法に制限がない。
図１に示したパネル体１０はペット用サークルのペットの出入口に設けたパネル体の例を示す。
図１に扉１３が全閉した状態を示し、図６に扉１３が全開した状態を示す。
【００１１】
パネル体１０の構造は開口部を有し、この開口部を開閉する扉１３がスライド自在に取り付けられているものであればそのパネル構造に制限がない。
本実施例は木製の枠体１１の枠内に複数の線材を縦横に配設した例になっているが、枠体を樹脂製にしたりこの枠体そのものを線材で形成してもよい。
枠体１１は上桟１１ａと下桟１１ａとの両側を縦桟１１ｃ、１１ｄで連結した例になっている。
扉１３は上端部の横線材１３ｂと下端部の横線材１３ｂとの間を複数の縦線材１３ａで連結した例になっており、本実施例では上部中間と下部中間にも横線材１３ｂを配設した例になっている。
パネル体１０は上桟１１ａと下桟１１ｂとの間に３本の主線材１２ｃ、１２ｃ、１２ｄを配設してあり、図１，６では左端部の主線材１２ｃと中央の主線材１２ｃで開口部を形成し、この中央の主線材１２ｃと右端部の主線材１２ｄとで非開口部１２を形成した例になっており、非開口部１２は複数の縦線材１２ａと横線材１２ｂを格子状に配設してある。
パネル体１０の上部には横方向の線材からなる上ガイド部材１５ａを有し、下部には同様に横方向の線材からなる下ガイド部材１５ｂを有し、この上下ガイド部材１５ａ、１５ｂに沿ってスライドする樹脂製等の摺動部材１３ｃを介して扉１３が左右方向にスライド自在になっている。
【００１２】
パネル体１０は図１に示すように扉１３の全閉状態と、図６に示すように扉１３の全開状態がロック可能になっており、そのロック機構を説明する。
図１（ｂ）に全閉時のロック構造を示し、図６（ｃ）に全開時のロック構造を示す。
図４にロック部材１６の動きを示す。
ロック部材１６は扉１３の２本の縦線材１３ａに沿って上下移動可能になっており、ロック部材１６の下端側から下方に向けてロック爪１６ａが突設してあり、このロック部材１６は下方向にスプリング等の付勢部材１６ｂにて付勢されている。
本実施例ではロック部材１６の本体部の下部と橋渡し横線材１６ｃとの間にスプリングを配設し、ロック部材１６本体が上下移動する例になっているがロック部材１６本体部からロック爪１６ａが突出付勢されていてもよい。
本実施例では図４（ａ）に示すようにロック部材１６を指で上下操作しやすいようにロック部材１６の上方に指掛け部１６ｄを設けてある。
パネル体１０は図１（ｂ）及び図２に示すように左端部の主線材１２ｃと、その補助縦線材１２ｅとを用いて横方向に配設するとともに、左端部側に向けてＵ字状に折り返した爪状の閉ロック受け部材１７ａを取り付けてある。
扉１３の全閉状態ではロック部材１６が付勢部材１６ｂの付勢力にてロック爪１６ａが閉ロック受け部材１７ａのＵ字形状内側に係合し、扉が開かない状態になる。
なお、本実施例では全閉ロック状態を補助する補助枠部１２ｆを形成してある。
【００１３】
扉１３の全開ロック構造は図６，７に示すように中央部の主線材１２ｃとそのとなりの非開口部の縦線材１２ａを用いて、横方向に爪状の開ロック受け部材１７ｂを取り付けてある。
開ロック受け部材１７ｂは閉ロック受け部材１７ａと対向するように線材で形成してあり、先端部が非開口部側に折り返した略Ｕ字形状になっている。
これにより全開状態ではロック部材１６の下方向の付勢力によりロック爪１６ａが開ロック受け部材１７ｂのＵ字形状内側に係合し、全開ロック状態が維持され図６（ｃ）に示すように指で矢印の方向に持ち上げると図７（ｂ）に示すように扉１３を閉じる方向に移動できる。
【００１４】
パネル体１０は図１，図５に示すように扉１３の後部の召合部１４に隙間が開くのを防止した隙間規制手段を設けた点に特徴がある。
本発明で図１に示す召合部１４とは、図５を見ると分かりやすいように、扉１３の後部の縦線材１３ａと非開口部を形成する中央部の主線材１２ｃ又は／及びこの中央部の主線材１２ｃのとなりの縦線材１２ａとの重なり部をいう。
本実施例では、召合部１４の隙間規制手段として開ロック受け部材１７ｂを共通部材として用いた例となっている。
扉１３側の後部に図１（ｃ）、図３に示すように正面視で略コ字形状、下面視で先端が略Ｌ字形状に折り曲げた爪状の掛け部材１８を取り付けることで先端が略Ｕ字形状の開ロック受け部材１７ｂとが掛け合さるように係合し、これにより召合部１４の隙間が開くのを防止する。
本発明におけるパネル体１０は、スライド式の扉の後部と開口部端部（非開口部の開口部側端部）との間の隙間が所定の寸法以上に開かないように規制できる規制手段を有する限りその構造に制限はないが本実施例のように全開状態をロックするための部材を共通部材として隙間規制手段にも使用すると、その分だけ部品点数が少なくなり構造が簡単になる。
また、召合部の隙間規制手段を有するようにしたことにより線材の強度アップをさせることなく、パネル体のたわみ剛性が向上する。
【符号の説明】
【００１５】
１０      パネル体
１１      枠体
１２      非開口部
１２ａ    縦線材
１２ｂ    横線材
１３      扉
１３ａ    縦線材
１３ｂ    横線材
１４      召合部
１５ａ    上ガイド部材
１５ｂ    下ガイド部材
１６      ロック部材
１７ａ    閉ロック受け部材
１７ｂ    開ロック受け部材
１８      掛け部材      
【図１】
2015133918.tif 000003
【図２】
2015133918.tif 000004
【図３】
2015133918.tif 000005
【図４】
2015133918.tif 000006
【図５】
2015133918.tif 000007
【図６】
2015133918.tif 000008
【図７】
2015133918.tif 000009